(57)【要約】着信テレビジョン信号を受信して処理し、電源または供給電力のパラメータに基づきその出力にどのテレビジョン信号標準規格を使用するかを自動的に決定する動作が可能なテレビジョン信号受信機、特に衛星放送受信機。電源の周波数および電圧は、測定可能なパラメータであり、これを利用して、ローカルユーザ設定のテレビジョン信号標準規格がＮＴＳＣでありえるか、またはＰＡＬ（ＰＡＬ−ＭまたはＰＡＬ−Ｎ）でありえるかを決定し、テレビジョン受信機側で受信テレビジョン信号を出力のそのフォーマットで自動的に符号化するようにできる。本発明では、ローカルテレビジョン標準規格がローカル電力線周波数および電圧と何らかの形で一致するという原理を利用する。
2004514347.tif 000002
【特許請求の範囲】
【請求項１】
テレビジョン信号処理装置であって、
それぞれ複数のテレビジョン信号標準規格のうちの各１つに従ってテレビジョン信号処理を行う複数のビデオ信号処理経路と、
前記テレビジョン信号処理装置の電源のパラメータを決定する手段と、
前記テレビジョン信号処理装置の前記電源の前記パラメータを表す制御信号を発生させる手段と、
前記複数のビデオ信号処理経路のうちの１つを選択して入力テレビジョン信号を処理するために前記制御信号に応答する手段とを備えることを特徴とするテレビジョン信号処理装置。
【請求項２】
前記複数のテレビジョン信号標準規格はＮＴＳＣとＰＡＬ標準規格を含むことを特徴とする請求項１に記載のテレビジョン信号処理装置。
【請求項３】
前記テレビジョン信号処理装置の電源のパラメータを決定する前記手段は、前記テレビジョン信号処理装置の前記電源の周波数または電圧の１つを決定する手段を含むことを特徴とする請求項１に記載のテレビジョン信号処理装置。
【請求項４】
前記テレビジョン信号処理装置の電源の周波数または電圧の１つを決定する前記手段は周波数を決定し、電気的遮断装置を含むことを特徴とする請求項２に記載のテレビジョン信号処理装置。
【請求項５】
前記電気的遮断装置は光遮断装置を含むことを特徴とする請求項４に記載のテレビジョン信号処理装置。
【請求項６】
テレビジョン信号処理装置に供給する電力のパルス間隔測定を行うように前記光遮断装置のしきい値を選択することを特徴とする請求項５に記載のテレビジョン信号処理装置。
【請求項７】
入力されたテレビジョン信号を処理するために前記複数のビデオ信号処理経路の１つを選択するために前記制御信号に応答する前記手段は変調装置を含むことを特徴とする請求項１に記載のテレビジョン信号処理装置。
【請求項８】
前記テレビジョン信号処理装置の電源の周波数または電圧の１つを決定する前記手段は電圧を決定し、前記テレビジョン信号処理装置の電源のパルス幅間隔測定を決定する手段を含むことを特徴とする請求項１に記載のテレビジョン信号処理装置。
【請求項９】
テレビジョン信号処理装置であって、
テレビジョン信号を受信するように構成された処理回路と、
前記処理回路と交信し、複数のテレビジョン信号標準規格のうちの各１つに従って受信テレビジョン信号のテレビジョン信号を変調するように構成された変調装置と、
前記テレビジョン信号処理装置の交流電源と交信し、前記交流電源のパラメータを示す第１の信号を前記処理回路に送るように構成された電気パラメータ決定回路とを備え、
前記処理回路は、前記第１の信号に従って前記複数のテレビジョン信号標準規格のうちの特定の１つを選択するため制御信号を前記変調装置に送るように構成されていることを特徴とするテレビジョン信号処理装置。
【請求項１０】
前記処理回路はＤＢＳ衛星からテレビジョン信号を受信するように構成されていることを特徴とする請求項９に記載のテレビジョン信号処理装置。
【請求項１１】
前記複数のテレビジョン信号標準規格はＮＴＳＣとＰＡＬ標準規格を含むことを特徴とする請求項９に記載のテレビジョン信号処理装置。
【請求項１２】
前記電気パラメータ決定回路は電気的遮断装置を含むことを特徴とする請求項９に記載のテレビジョン信号処理装置。
【請求項１３】
前記電気的遮断装置は光遮断装置を含むことを特徴とする請求項１２に記載のテレビジョン信号処理装置。
【請求項１４】
前記光遮断装置のしきい値は、振幅に関するパルス幅測定および周波数／周期に関するパルス間隔測定を行うように設定されていることを特徴とする請求項１３に記載のテレビジョン信号処理装置。
【請求項１５】
前記第１の信号は前記交流電源に関する周波数データを含み、前記処理回路は周波数データを受信し処理した後で前記制御信号を発生させることを特徴とする請求項９に記載のテレビジョン信号処理装置。
【請求項１６】
テレビジョン信号処理装置に入力されたテレビジョン信号を処理する方法であって、
前記テレビジョン信号処理装置の交流動作電源のパラメータを決定するステップと、
前記テレビジョン信号処理装置の前記交流動作電源の前記パラメータに対応する制御信号を発生させるステップと、
前記制御信号に応答して入力テレビジョン信号を処理する複数のビデオ信号処理経路のうちの１つを選択し、前記複数のビデオ信号処理経路のそれぞれが複数のテレビジョン信号標準規格のうちの各１つに従ってテレビジョン信号処理を行うステップとを含むことを特徴とする方法。
【請求項１７】
交流電源のパラメータを決定する前記ステップは、前記交流電源の周波数および電圧のうちの少なくとも１つを決定するステップを含むことを特徴とする請求項１６に記載の方法。
【請求項１８】
前記テレビジョン信号処理装置の前記交流動作電源の周波数および電圧のうち少なくとも１つを決定するステップは、光遮断装置を利用するステップを含むことを特徴とする請求項１７に記載の方法。
【請求項１９】
前記制御信号に応答して前記入力テレビジョン信号を処理する複数のビデオ信号処理経路のうちの１つを選択し、前記複数のビデオ信号処理経路のそれぞれが複数のテレビジョン信号標準規格のうちの各１つに従ってテレビジョン信号処理を行うステップは、ＰＡＬおよびＮＴＳＣ標準規格を含むことを特徴とする請求項１６に記載の方法。
【請求項２０】
さらに、
前記複数のテレビジョン信号標準規格のうちの選択された１つにより変調されたテレビジョン信号を出力するステップを含むことを特徴とする請求項１６に記載の方法。
【請求項２１】
前記入力テレビジョン信号はＤＢＳテレビジョン信号であることを特徴とする請求項１６に記載の方法。
【請求項２２】
テレビジョン信号処理装置であって、
テレビジョン信号を受信するように構成された処理ロジックと、
前記処理ロジックと交信し、複数のテレビジョン信号標準規格のうちの各１つに従って受信テレビジョン信号のテレビジョン信号を変調する動作が可能な変調装置と、
前記テレビジョン信号処理装置の交流電源と交信し、前記交流電源のパラメータを示す第１の信号を前記変調装置に送る動作が可能な電力パラメータ決定ロジックとを備え、
前記変調装置は、前記受信テレビジョン信号の変調を行うため前記複数のテレビジョン信号標準規格のうちの１つを選択する前記第１の信号に応答することを特徴とするテレビジョン信号処理装置。
【請求項２３】
前記複数のテレビジョン信号標準規格はＮＴＳＣ、ＰＡＬ−Ｍ、およびＰＡＬ−Ｎを含み、前記交流電源の前記パラメータは電圧および周波数を含むことを特徴とする請求項２２に記載のテレビジョン信号装置。
【請求項２４】
さらに前記処理ロジックと交信し、前記交流電源のパラメータが６０Ｈｚで１２０Ｖを示す場合にＯＳＤメッセージを生成する動作が可能なＯＳＤジェネレータを備えることを特徴とする請求項２３に記載のテレビジョン信号装置。
【請求項２５】
テレビジョン信号処理装置によりテレビジョン信号を処理する方法であって、
前記テレビジョン信号処理装置の交流電源の電圧および周波数を決定するステップと、
前記交流電源の前記決定された電圧および周波数に対応する制御信号を発生させるステップと、
前記制御信号に応答して前記テレビジョン信号を処理するためＮＴＳＣ、ＰＡＬ−Ｍ、およびＰＡＬ−Ｎテレビジョン信号標準規格のうちの１つを選択するステップとを含むことを特徴とする方法。
【請求項２６】
さらに、
前記交流電源の前記決定された電圧および周波数がそれぞれ１２０Ｖおよび６０ＨｚのときにＯＳＤメッセージを生成するステップを含むことを特徴とする請求項２５に記載の方法。
【発明の詳細な説明】
【０００１】
（発明の分野）
本発明は、テレビジョン信号の受信機に関するものであり、より具体的には、特定のテレビジョン標準規格領域（ｔｅｌｅｖｉｓｉｏｎ ｓｔａｎｄａｒｄ ｒｅｇｉｏｎ）で使用するのに適しているテレビジョン標準規格（ｔｅｌｅｖｉｓｉｏｎ ｓｔａｎｄａｒｄ）を選択する能力を持つテレビジョン信号受信機に関するものである。
【０００２】
（発明の背景）
全世界でＰＡＬ、ＳＥＣＡＭ、およびＮＴＳＣなどのさまざまな種類のテレビジョン放送システムまたは標準規格が使用されている。これらの各種の標準規格は、さまざまな特徴および／または独自機能を備えており、それが相互の非互換性をもたらしている。各種標準規格に違いがあるため、テレビジョン信号を、受信したテレビジョン信号の標準規格と異なる標準規格に対応するテレビジョン受信機で受信かつ／または表示することはできない。しかし幸いなことに、特定の地方または地域では特定の標準規格が使用されている。そのため、テレビジョンは通常、特定の地方向けに製造され、したがって、その地方の特定のテレビジョン信号標準規格にのみ対応する処理回路を備えている。
【０００３】
上記に関して、異なる標準規格のテレビジョン信号を受信し処理できるテレビジョンが開発されており、たとえば、「Ｄｕａｌ Ｓｔａｎｄａｒｄ ＰＡＬ／ＳＥＣＡＭ Ｒｅｃｅｉｖｅｒ Ｃｉｒｃｕｉｔｒｙ」という表題の米国特許第４３０９７１９号、「Ｔｅｌｅｖｉｓｉｏｎ Ｒｅｃｅｉｖｅｒ Ｃｉｒｃｕｉｔ Ａｒｒａｎｇｅｍｅｎｔ ｆｏｒ Ｉｄｅｎｔｉｆｙｉｎｇ ｔｈｅ Ｓｔａｎｄａｒｄ」という表題の米国特許第４４１４５６３号、「Ｍｕｌｔｉ−Ｓｙｓｔｅｍ Ｔｅｌｅｖｉｓｉｏｎ Ｒｅｃｅｉｖｅｒ」という表題の米国特許第４６８８０８２号、および「Ｍｕｌｔｉｐｌｅ Ｓｙｓｔｅｍｓ Ａｄａｐｔｉｖｅ Ｔｅｌｅｖｉｓｉｏｎ Ｒｅｃｅｉｖｅｒ」という表題の米国特許第５２６７０２４号を参照されたい。ただし、それぞれの場合に、従来技術では受信したテレビジョン信号のパラメータを使用して一方のテレビジョン信号標準規格から他方のテレビジョン信号標準規格への処理を選択し、切り替える。
【０００４】
各種テレビジョン標準規格の違いの１つは、水平走査線（ｈｏｒｉｚｏｎｔａｌ ｓｃａｎ ｌｉｎｅ）の本数である。水平走査線の本数は標準規格ごとに異なるため、通常は、出力されるテレビジョン信号の信号標準規格とテレビジョンの信号標準規格処理モードとの食い違いにより読み取り可能な表示をテレビジョン上に行えないことからオンスクリーンディスプレイ（ＯＳＤ：ｏｎ−ｓｃｒｅｅｎ ｄｉｓｐｌａｙ）またはメニュー構造（ｍｅｎｕ ｓｔｒｕｃｔｕｒｅ）で適切なテレビジョン標準規格を選択することはできない。
【０００５】
衛星から発せられるテレビジョン信号に関して、衛星テレビジョン信号は通常、デジタル（つまり、デジタル変調アナログ信号）であり、したがって特定のテレビジョン信号標準規格に関してエンコードされていない。
【０００６】
上記に関して、特定の場所で使用するテレビジョン標準規格を自動的に決定することができるテレビジョン信号受信機があることが望ましい。
【０００７】
（発明の概要）
本発明は、テレビジョン信号を受信して処理し、ローカルテレビジョン標準規格に対応する複数のテレビジョン信号標準規格またはフォーマットのうちの１つでテレビジョン信号を出力するように動作可能なテレビジョン信号受信機に関するものである。テレビジョン信号受信機はテレビジョン信号受信機に供給される（結合（ｃｏｕｐｌｅ）された）電力のパラメータを使用して、受信したテレビジョン信号を処理／変調するためにどのテレビジョン信号標準規格を使用しているかを決定する作業を支援（ａｉｄ）する。
【０００８】
一実施形態では、テレビジョン信号受信機は衛星放送テレビジョン信号を受信し、ローカル基本設定（ローカルプリファランス：ｌｏｃａｌ ｐｒｅｆｅｒｅｎｃｅ）に応じてそのテレビジョン信号をＮＴＳＣまたはＰＡＬに変換するように動作可能な衛星放送受信機である。衛星放送送受信機の電源の周波数／周期または電圧特性（パラメータ）を確認して使用し、テレビジョン信号を処理／変調して出力するために使用するテレビジョン標準規格に関して決定（ｄｅｔｅｒｍｉｎａｔｉｏｎ）を行う。
【０００９】
特定の場所で使用している電力または電源の複数の周波数／周期がある場合、標準規格の補足的デターミネータ（ｓｕｐｐｌｅｍｅｎｔａｌ ｄｅｔｅｒｍｉｎａｔｏｒ）を電力パラメータと共に使用することができる。この補足的デターミネータは、電力線（電力）パラメータ（ｐｏｗｅｒ−ｌｉｎｅ （ｅｌｅｃｔｒｉｃｉｔｙ） ｐａｒａｍｅｔｅｒ）から正確な標準規格を決定できない場合に類似の標準規格から選択できるオンスクリーンディスプレイ（ＯＳＤ）であってよい。
【００１０】
このＯＳＤは、電力（ｅｌｅｃｔｒｉｃｉｔｙ）の特定の特性を最初に決定するときに表示される。これは通常、異なる電圧および／または周波数が使用できる、あるいは使用されている地域（ａｒｅａ）で実行される。これが実行されると、使用されるテレビジョン標準規格は、使用されていないテレビジョン標準規格（たとえば、ＮＴＳＣおよびＰＡＬ−Ｍ）に類似する。したがって、ＯＳＤは表示可能である。
【００１１】
本発明は、他の実施形態では、テレビジョン信号処理装置である。テレビジョン信号処理装置には、複数のビデオ信号処理経路（ｖｉｄｅｏ ｓｉｇｎａｌ ｐｒｏｃｅｓｓｉｎｇ ｐａｔｈ）または回路が備えられており、それぞれ複数のテレビジョン信号標準規格のうちの各１つに応じてテレビジョン信号処理を行う。テレビジョン信号処理装置の動作用電源（ｓｏｕｒｃｅ ｏｆ ｅｌｅｃｔｒｉｃａｌ ｏｐｅｒａｔｉｎｇ ｐｏｗｅｒ）のパラメータ（たとえば、周波数または電圧特性）を決定する手段が実現される。テレビジョン信号処理装置の動作用電源のパラメータを表す制御信号を発生（ｇｅｎｅｒａｔｅ）する手段も実現される。テレビジョン信号処理装置はさらに、複数のビデオ信号処理経路のうちの１つを選択し、入力テレビジョン信号の処理を行うための制御信号に応答する手段を備える。
【００１２】
本発明は、さらに他の実施形態では、テレビジョン信号を受信するように構成されている処理回路と、上記の処理装置と通信して複数のテレビジョン標準規格のうちの各１つに従って受信したテレビジョン信号のテレビジョン信号処理を行うように構成されている変調装置と、ＡＣ電源（ｓｏｕｒｃｅ ｏｆ ＡＣ ｅｌｅｃｔｒｉｃｉｔｙ）と通信して供給されるＡＣ電力（ＡＣ ｅｌｅｃｔｒｉｃｉｔｙ）のパラメータを示す第１の信号を処理回路に送るように構成されている電気パラメータ決定回路（ｅｌｅｃｔｒｉｃｉｔｙ ｐａｒａｍｅｔｅｒ ｄｅｔｅｒｍｉｎａｔｉｏｎ ｃｉｒｃｕｉｔｒｙ）と、を備えるテレビジョン信号処理装置である。上記処理回路は、制御信号を変調装置に送り、第１の信号に応じて複数のテレビジョン標準規格のうちの特定の１つを選択するように構成されている。
【００１３】
本発明は、さらに他の実施形態では、テレビジョン信号処理装置へのテレビジョン信号入力を処理する方法である。この方法は、ａ）テレビジョン信号処理装置の動作用交流電源（ｓｕｐｐｌｙ ｏｎ ＡＣ ｏｐｅｒａｔｉｎｇ ｐｏｗｅｒ）のパラメータを決定するステップと、ｂ）テレビジョン信号処理装置の動作用交流電源のパラメータに対応する制御信号を発生させるステップと、ｃ）複数のテレビジョン信号標準規格の内の各１つに応じてテレビジョン信号処理を行う複数のビデオ信号処理経路のそれぞれと共に制御信号に応答して入力テレビジョン信号を処理するため複数のビデオ信号処理経路のうちから１つを選択するステップとを含む。
【００１４】
本発明に関する記述は、添付の図面と共に参照すべきである。
【００１５】
対応する参照文字は、複数の図面全体を通して対応する部分を示している。
【００１６】
（発明の詳細な説明）
図１には、本発明を使用できる、一般的に１０と記されているシステムが示されている。最初に、システム１０およびその各種コンポーネントは本発明を使用できる環境／アプリケーション（ｅｎｖｉｒｏｎｍｅｎｔ／ａｐｐｌｉｃａｔｉｏｎ）の実施例にすぎないことを理解していただきたい。したがって、特に本明細書の図に示され説明されているコンポーネントまたはシステム以外のものも本発明の原理を使用できることは理解されるであろう。
【００１７】
システム１０は、発信源からのテレビジョン信号または送信（これ以降「テレビジョン信号」と総称する）を受信し処理するように手直しされた受信機／デコーダ１４（これ以降「受信機」と総称する）を備える。テレビジョン信号は、アンテナ、パラボラアンテナなど１２によって受信し、通信回線またはケーブル１６を介して受信機１４に転送される。テレビジョン信号はデジタル信号および／またはアナログ信号であり、アンテナ１２はデジタルおよび／またはアナログテレビジョン信号のいずれか一方または両方を受信するタイプのものである。アンテナまたはパラボラアンテナ以外のデバイスも受信機１４へテレビジョン信号を送ったり受信したりすることができることは理解されるであろう。したがってアンテナ１２は、テレビジョン信号を受信または送ることができるデバイスを表す。アンテナ１２はさらに、ケーブルテレビジョン（ＣＡＴＶ）などのテレビジョン信号源も表す。
【００１８】
受信機１４は、後述のようにテレビジョン信号を受信して処理し、通信回線またはケーブル２０を介してテレビジョン装置１８に転送する。テレビジョン装置１８は、ディスプレイ２２を内蔵する場合もしない場合もあるが、通常は、テレビジョン信号を処理する適切な処理回路および／または論理回路２４を備える。テレビジョン装置１８は、内蔵ディスプレイ２２上に処理されたテレビジョン信号を表示したり、処理されたテレビジョン信号を別のディスプレイ（または他の種類のコンポーネント）に送り、当業で知られているような他のテレビジョン機能を動作させる。
【００１９】
テレビジョン装置１８は、あらゆる種類のテレビジョン、テレビジョン装置、および／またはテレビジョン信号を受信し、処理し、出力し、かつ／または利用することができる他の種類のコンポーネントまたはデバイス（「テレビジョン装置」と総称する）を表す。そのうえ、テレビジョン装置１８は通常、ＮＴＳＣ、ＳＥＣＡＭ、およびＰＡＬ（ＰＡＬ−Ｍ、ＰＡＬ−Ｎ、およびその他のＰＡＬ標準規格を含み、「ＰＡＬ」と総称する）などの特定のテレビジョン信号標準規格に基づいて符号化されたテレビジョン信号のみを使用できることは理解されるであろう。したがって、受信機１４からのテレビジョン信号は、テレビジョン装置１８のテレビジョン信号標準規格処理機能に対応するテレビジョン信号標準規格の信号でなければならない。テレビジョン装置１８は、受信機１４を組み込むことができる。したがって、受信機１４、テレビジョン装置１８、およびディスプレイ１８のさまざまな構成が考えられることは理解されるであろう。
【００２０】
特定の地域におけるテレビジョン装置では通常、同じテレビジョン信号標準規格を使用する。したがって、通常の地上波テレビジョン信号送信および／またはケーブルテレビジョン（ＣＡＴＶ）テレビジョン信号送信では、テレビジョン標準規格が知られており、テレビジョン信号はそれに応じて符号化される。地上波および／またはＣＡＴＶテレビジョン信号とは対照的に、直接放送衛星（ＤＢＳ：Ｄｉｒｅｃｔ Ｂｒｏａｄｃａｓｔ Ｓａｔｅｌｉｔｅ）システムなどの衛星から送信されたテレビジョン信号は、特定のテレビジョン標準規格に合わせて符号化されない。これは、衛星が広範な地域にわたってテレビジョン信号（複数のチャネルを含む）を放送する役割を持つからである。この広範な地域は、テレビジョン標準規格が地域ごとに異なる場合のあるさまざまな地域を包含する。
【００２１】
たとえば、特定の衛星が中南米全体にテレビジョン信号を送信する役割を負っている可能性がある。これらの地域のテレビジョン装置は通常、ＮＴＳＣまたはＰＡＬ標準規格のいずれかを使用している。衛星では特定のテレビジョン標準規格に合わせてテレビジョン信号を符号化しないため、受信機１４（衛星放送受信機）側でテレビジョン装置１８に合わせてテレビジョン信号を変換または符号化しなければならない。本発明の一態様により、受信機１４は各種テレビジョン標準規格（たとえば、ＮＴＳＣ、ＰＡＬ、ＳＥＣＡＭなど）のうちの特定の１つに応じて受信したテレビジョン信号を符号化する機能を備える。これにより、テレビジョン標準規格に関係なくどのような地域でも使用できる単一の受信機を製造することができる。
【００２２】
テレビジョン標準規格からテレビジョン信号への符号化と、衛星からテレビジョン信号を地上へ送信するために使用される符号化（つまり、変調）標準規格とは異なることは理解されるであろう。したがって、受信機１４は地方または地域に関係なく衛星放送信号を受信およびデコード（つまり、復調）する動作が可能である。
【００２３】
図２には、受信機／デコーダ１４のブロック図が示されている。受信機１４は、テレビジョン信号チューナ、デコーダ／復調装置（ｄｅｃｏｄｅｒ／ｄｅｍｏｄｕｌａｔｏｒ）、および適切な制御および処理ロジックおよび／または回路２６（これ以降「処理ロジック（ｐｒｏｃｅｓｓｉｎｇ ｌｏｇｉｃ）」と総称する）を備え、入力線１６からテレビジョン信号（ＤＢＳテレビジョン信号など）を受信し、同調し、処理する。テレビジョン信号は通常、オーディオおよびビデオ情報の複数のチャネルを備える。処理されたテレビジョン信号は、バスまたは線５０でテレビジョン復調装置２８に転送されるオーディオおよびビデオ情報を含む。
【００２４】
テレビジョン信号変調装置（ｍｏｄｕｌａｔｏｒ）２８は、複数のテレビジョン標準規格のうちの１つに従って処理ロジック２６テレビジョン信号を変調し、テレビジョン標準規格変調テレビジョン信号／チャネルを出力線２０に出す適切な回路、ロジック、および／または経路を備える。変調装置２８によって使用される特定のテレビジョン標準規格は、制御線（ｃｏｎｔｒｏｌ ｌｉｎｅ）４４を介して処理ロジック２６により変調装置２８に送られる制御信号を通じて選択される。処理ロジック２６では、後述のように特定のテレビジョン標準規格を選択し、制御線４４を介して適切な制御信号を変調装置２８に送る。
【００２５】
特定のテレビジョン標準規格を選択する方法はいくつかある。そのうち１つがテレビジョン標準規格の自動決定（ａｕｔｏｍａｔｉｃ ｄｅｔｅｒｍｉｎａｔｉｏｎ ｏｆ ｔｈｅ ｔｅｌｅｖｉｓｉｏｎ ｓｔａｎｄａｒｄ）である。もう１つはテレビジョン標準規格の半自動決定（ｓｅｍｉ−ａｕｔｏｍａｔｉｃ ｄｅｔｅｒｍｉｎａｔｉｏｎ）である。さらに、これらのテレビジョン標準規格決定方法は、テレビジョン信号処理デバイスに供給される電力のパラメータ（ｐａｒａｍｅｔｅｒ ｏｆ ｔｈｅ ｅｌｅｃｔｒｉｃｉｔｙ）を決定することにより行われる。
【００２６】
受信機１４は、動作に電力（ｅｌｅｃｔｒｉｃａｌ ｐｏｗｅｒ（ｅｌｅｃｔｒｉｃｉｔｙ））を必要とし、したがって、電線またはコード３６で電源／エネルギー／電力の発生源または供給源と通信している。電力は通常、特定の周波数、振幅、およびアンペア数の交流である。この交流電力（ＡＣ ｅｌｅｃｔｉｃｉｔｙ）は、さらに、当業者に知られている他の特性も持つ。電力線（ｐｏｗｅｒ ｌｉｎｅ）３０は、受け取った電気エネルギーを受信機１４のさまざまなコンポーネントで使用できるように適切なレベルまたは値（つまり、適当な電圧および／またはアンペア数）に合わせて調整するか、または変換する内部電源３２に結合されている。内部電源３２はライン４０を介して処理ロジック２６と通信する。
【００２７】
本発明の一態様によれば、ここでは電力線３６からタップされているまたは電力線３６に結合されている補助線（ａｕｘｉｌｉａｒｙ ｌｉｎｅ）３８を介して、受信機１４は電源３０に結合されている電源分析回路／ロジック（ｐｏｗｅｒ ｓｏｕｒｃｅ ａｎａｌｙｓｉｓ ｃｉｒｃｕｉｔｒｙ／ｌｏｇｉｃ）３４を備える。電源分析回路３４は、外部電源３０のさまざまなパラメータを取得し、計算し、かつ／または測定するように動作可能であるか、または手直しされている。一パラメータは、受け取る交流電力の周波数／周期である。他のパラメータは、受け取る交流電力の電圧／振幅である。周波数／周期および／または電圧／振幅以外のパラメータも使用できる。
【００２８】
外部電源（ｅｘｔｅｒｎａｌ ｐｏｗｅｒ ｓｏｕｒｃｅ）３０から受け取る交流電力の周波数または周期の測定または計算には、光遮断装置または電源分析回路３４による電気的遮蔽を行うその他の手段を使用することができる。オプトアイソレータ（ｏｐｔｏｉｓｏｌａｔｏｒ）（または他の手段）は、周波数／周期を計算するために受け取る交流電力のパルス間隔測定結果を得る動作をすることが可能である。このオプトアイソレータはさらに、受け取る交流電力の電圧または振幅を測定または計算するような動作が可能でもある。このオプトアイソレータまたは他の手段は、受け取る交流電力の電圧／振幅を計算するパルス幅測定結果を得る動作をすることが可能である。
【００２９】
上記オプトアイソレータのしきい値レベルを適切に設定することにより、各種パラメータの測定および／または計算を正確に行うことができる。たとえば、オプトアイソレータのしきい値レベルを１５０ＶＤＣ、１２０ＶＲＭＳ＝１７０Ｖｐｐ＠６０Ｈｚに設定すると、１６．７ｍｓ間隔で持続時間２．５ｍｓのパルスが発生する。２４０ＶＲＭＳ＝３４０Ｖｐｐ＠５０Ｈｚだと、２０ｍｓ間隔で７ｍｓのパルスが発生する。したがって、上記オプトアイソレータのしきい値を適切に設定することにより、パルス長およびパルス間隔の情報から、受け取る交流電力の電圧および周波数がわかる。
【００３０】
電源解析器回路３４では、周波数／周期および電圧／振幅のいずれかまたは両方、および他のパラメータを測定または計算することができる。電源解析回路３４はさらに、波形整形回路（ｗａｖｅ−ｓｈａｐｉｎｇ ｃｉｒｃｕｉｔｒｙ）およびその他の測定／処理回路を適宜備え、ライン４２を介して外部電源３０から受け取る電気エネルギーの周波数および／または電圧（またはその他のパラメータ）に関する信号を処理回路２６に送ることができる。
【００３１】
これらおよびその他のパラメータ、情報、データなどをライン４２を介して電源分析回路３４から処理回路２６に渡すことができる。
【００３２】
一実施形態では、電源分析回路３４が、受け取る電気エネルギーおよび／またはその電圧の周波数または周期を使用し決定するために処理ロジック２６用の絶縁されたデジタル電気エネルギー（たとえば、サンプル）を発生させる。電気エネルギーの周波数（または周期）は、通常、５０Ｈｚ（持続時間２０ｍｓ）または６０Ｈｚ（持続時間（ｄｕｒａｔｉｏｎ）１６＋ｍｓ）であるが、電圧は、通常、１２０Ｖまたは２２０Ｖである。処理ロジック２６では、周波数および電圧情報を使用し、可能なローカルテレビジョン放送／信号（したがって、テレビジョン装置１８によって使用されるテレビジョン標準規格）の垂直周波数が５０Ｈｚであるのか６０Ｈｚであるのかを推論する。５０Ｈｚ垂直周波数（または電力の周波数／周期）はＰＡＬ−Ｎ標準規格に対応しているが、６０Ｈｚ垂直周波数（または電力の周波数／周期）は電力の電圧に応じてＰＡＬ−Ｍ標準規格またはＮＴＳＣ標準規格のいずれかに対応する。電源電圧が６０Ｈｚで２２０ＶであればＰＡＬ−Ｍ標準規格であり、６０Ｈｚで１２０ＶであればＮＴＳＣ標準規格である。
【００３３】
一実施形態では、受け取る／供給される電気エネルギーの周波数が５０Ｈｚでかつ／または電圧が２２０Ｖであれば、処理ロジック２６は制御線４４を介してＰＡＬ−Ｎ標準規格を使用する制御信号を変調装置２８に送る。受け取る／供給される電気エネルギーの周波数が６０Ｈｚで、電圧が２２０Ｖであれば、処理ロジック２６は制御線４４を介してＰＡＬ−Ｍ標準規格を使用する制御信号を変調装置２８に送り、そうでなく１２０ボルトの電圧が検出された場合には、処理ロジック２６は制御線４４を介してＮＴＳＣ標準規格を使用する制御信号を変調装置２８に送る。特定の標準規格が決定された後、テレビジョン信号を再エンコードする初期構成が受信機１４により確定される。
【００３４】
処理回路２６からの制御信号により特定のテレビジョン標準規格に対応して処理回路または経路が決定または選択され、テレビジョン信号は、変調装置２８を通り、処理回路２６から変調装置２８が受信したテレビジョン信号を処理し、エンコードし、かつ／または変調する。制御信号は、受信機１４の電源投入を行うごとに送ることも、初期設定後、メモリ内に記憶しておくこともできる。また、変調装置２８は、初期設定後特定のテレビジョン標準規格状態またはモードに置き、定期的にチェックすることができる。さまざまな方式が可能である。
【００３５】
（動作）
次に、図３に示されている一般に６０で表される流れ図を参照しながら、本明細書で取り上げている原理に使用する方法を説明する。本発明の方法の命令は、処理回路／ロジック２６に格納し、処理回路／ロジック２６により実行される。流れ図６０および本明細書で流れ図６０と関連して説明している方法は、本明細書で取り上げて原理を実施する方法の実施例にすぎないことは理解されるであろう。
【００３６】
ソフトウェアルーチン（つまり、命令（ｉｎｓｔｒｕｃｔｉｏｎ））は、当業者に知られているどのような手段でも、またどのようなプログラミング言語でも実装することができる。手続き型、オブジェクト指向型、または人工知能手法などさまざまなプログラミング方法を採用することができる。
【００３７】
流れ図６０のステップは、１つまたは複数のソフトウェアルーチン、プロセス、サブルーチン、モジュールなどにより実装することができる。流れ図６０は本発明の原理による方法の単なる広範な論理の流れを示しているだけであり、本発明の範囲を逸脱することなく流れ図６０にステップを追加したり流れ図６０からステップを削除したりできることは理解されるであろう。さらに、流れ図６０のステップの実行順序も、本発明の範囲から逸脱することなく変更できる。ソフトウェアで流れ図６０により記述されている方法を実装することをさらに検討すると、ステップの選択および順序の変更が示される。割り込み駆動、ポーリング、またはその他の方式によるイベント処理も考えられる。マルチプロセシングまたはマルチタスキング環境では、本質的にステップを同時実行することができる。
【００３８】
受信機／デコーダ１４は、電源投入後、最初に、上記のように動作電力の供給元である結合先の電源のパラメータ（たとえば、周波数および電圧）を決定する（ブロック６２）。これは、通常、受信機／デコーダ１４を初めて（たとえば、電気のコンセントに）差し込み、引き抜き、さらに差し込んだときに、あるいは停電などにより、受信機／デコーダ１４への電力供給が途絶えその後電力が復旧したときに、実行される。ユーザ側でこのシーケンスをアクティブにすることも可能である。いずれにせよ、受信機／デコーダ１４は動作電力のパラメータ周波数に対応する信号を発生する（ブロック６４）。それ以降、受信機／デコーダ１４は生成された信号を使用してテレビジョン標準規格を選択する（ブロック６６）。受信機／デコーダ１４は、その後、選択されたテレビジョン標準規格に従ってモードを動作させる。
【００３９】
図３を参照して上で説明した方法は、以下のアルゴリズムにより実行できる。
【００４０】
ＩＦ （５０ Ｈｚ） ＆＆ （２２０Ｖ）
ｓｙｓｔｅｍ ＝ ＰＡＬ＿Ｎ
ＥＬＳＥＩＦ （６０ Ｈｚ） ＆＆ （２２０Ｖ）
ｓｙｓｔｅｍ ＝ ＰＡＬ＿Ｍ
ＥＬＳＥ
ｓｙｓｔｅｍ ＝ ＮＴＳＣ
ＥＮＤＩＦ
【００４１】
しかし、このアルゴリズムは、複数の電圧が供給されるという普通でない場合にはまったく正常に機能しないことがある。
【００４２】
場合によっては、南米のブラジルなどの国では、供給される電力の電圧は２２０Ｖと１２０Ｖがある。しかし、テレビジョン標準規格は、ＮＴＳＣでなくＰＡＬ−Ｍである。したがって、１２０Ｖが検出され６０Ｈｚ（５０ＨｚはＰＡＬ−Ｎに対応する）であれば、上記アルゴリズムによるＮＴＳＣ標準規格のデフォルト設定が優先する。この場合、本発明の一実施形態では、使用するテレビジョン標準規格の自動決定（ａｕｔｏｍａｔｉｃ ｄｅｔｅｒｍｉｎａｔｉｏｎ）を手動で支援する（ｍａｎｕａｌｌｙ ａｓｓｉｓｔ）テレビジョン標準規格を決定する補助的手法（ｓｕｐｐｌｅｍｅｎｔａｌ ｍａｎｎｅｒ）を備える。これは、オンスクリーンディスプレイ（ＯＳＤ）を使用して行う。ＮＴＳＣおよびＰＡＬ−Ｍは共通線およびフィールド周波数を共有し、色分けエンコーディングのみ異なるので、ＮＴＳＣまたはＰＡＬ−Ｍを選択する初期設定メニューまたは選択項目のＯＳＤを使用できる。
【００４３】
図４には流れ図が示され、一般に７０で表されるが、テレビジョン装置１８の適切なテレビジョン標準規格を決定するための他の方法を説明している。この方法は図３を参照している前の方法と同様の方法でテレビジョン装置１８により処理面で実行されることは理解されるであろう。
【００４４】
受信機１４は、電源投入後、最初に、上記のように動作電力の供給元である結合先の電源のパラメータ（たとえば、周波数および電圧）を決定する（ブロック７２）。これは通常、メーカーに任されているため、最初に受信機１４の電源を投入したときに実行される。
【００４５】
受信機１４は、電源が１２０Ｖ＠６０Ｈｚかどうかをパラメータから決定する（ブロック７４）。電源が１２０Ｖ＠６０Ｈｚと決定されない場合、電源が２２０Ｖ＠６０Ｈｚであるかどうかを決定されたパラメータから決定する（ブロック７６）。そうであれば、受信機はＰＡＬ−Ｍ標準規格を使用する（ブロック７８）。そうでなければ、受信機１４は、電源が２２０Ｖ＠５０Ｈｚかどうかを決定する（ブロック８０）。そうであれば、受信機はＰＡＬ−Ｎ標準規格を使用する（ブロック８２）。そうでなければ、受信機１４は再び開始（再試行）するか、またはデフォルトでテレビジョン標準規格の１つを採用する。
【００４６】
本発明の一態様によれば、ブロック７４で、電源が１２０Ｖ＠６０Ｈｚであると決定された場合、受信機のデフォルト設定をＮＴＳＣ標準規格とするかまたはＮＴＳＣ標準規格を使用する（ブロック８６）。それ以降、受信機１４はすでにテレビジョン標準規格に関して設定（ｃｏｎｆｉｇｕｒｅ）されているか否かを決定する（ブロック８８）。そうであれば、停電、中断などを示し、受信機１４はすでに選択／決定されているテレビジョン信号標準規格を使用するか、またはデフォルトで設定する（ブロック９４）。
【００４７】
しかし、受信機１４がブロック８８で決定された通りに構成されていない場合、オンスクリーンディスプレイ（ＯＳＤ）メッセージが表示／生成され、ユーザは手動でデフォルト設定のＮＴＳＣテレビジョン信号標準規格をＰＡＬ−Ｍテレビジョン信号標準規格に切り替える（ブロック９０）。ユーザが標準規格を変更しない場合、受信機はデフォルトのＮＴＳＣ標準規格モードのままである（ブロック９６）。ユーザが標準規格の変更を望んでいる場合、受信機はＰＡＬ−Ｍ標準規格に切り替わる（ブロック９２）。
【００４８】
そこでテレビジョン信号プロセッサは、交流電源の１つまたは複数のパラメータを使用して、テレビジョン信号標準規格の決定（ｄｅｔｅｒｍｉｎａｔｉｏｎ ｏｆ ａ ｔｅｌｅｖｉｓｉｏｎ ｓｉｇｎａｌ ｓｔａｎｄａｒｄ）を補助（ａｉｄ）する。パラメータを使用して、テレビジョン信号プロセッサを特定のテレビジョン信号標準規格またはフォーマットに適したモードにする。
【００４９】
本発明は好ましい設計および／または構成があるものとして説明してきたが、本発明はこの開示の趣旨と範囲の中でさらに修正を加えることができる。したがって、本出願は、一般原理を使用する本発明のバリエーション、用途、または改造を対象とすることを意図している。さらに、本出願は、本発明が関係する技術分野の知られているあるいは慣例の方法の範囲内に収まるような、付属の請求項の制限範囲内にある、本開示からの逸脱を対象とすることを意図する。
【図面の簡単な説明】
【図１】
本発明を使用できるシステム例のブロック図である。
【図２】
図１におけるシステムの受信機／デコーダを示すブロック図である。
【図３】
本発明の原理を実施する方法例の流れ図である。
【図４】
本発明の原理を実施する他の方法例の流れ図である。
【図１】
2004514347.tif 000003
【図２】
2004514347.tif 000004
【図３】
2004514347.tif 000005
【図４】
2004514347.tif 000006
【国際公開パンフレット】
2004514347.tif 000007
2004514347.tif 000008
2004514347.tif 000009
2004514347.tif 000010
2004514347.tif 000011
2004514347.tif 000012
2004514347.tif 000013
2004514347.tif 000014
2004514347.tif 000015
2004514347.tif 000016
2004514347.tif 000017
2004514347.tif 000018
2004514347.tif 000019
2004514347.tif 000020
2004514347.tif 000021
2004514347.tif 000022
2004514347.tif 000023
2004514347.tif 000024
2004514347.tif 000025
2004514347.tif 000026
2004514347.tif 000027
2004514347.tif 000028
2004514347.tif 000029
2004514347.tif 000030
2004514347.tif 000031
2004514347.tif 000032
2004514347.tif 000033
【国際公開パンフレット（コレクトバージョン）】
2004514347.tif 000034
2004514347.tif 000035
【手続補正書】
【提出日】平成15年2月12日(2003.2.12)
【手続補正１】
【補正対象書類名】明細書
【補正対象項目名】特許請求の範囲
【補正方法】変更
【補正の内容】
【特許請求の範囲】
【請求項１】
テレビジョン信号処理装置であって
入力テレビジョン信号を第１のフォーマットで処理し、複数のテレビジョン信号標準規格のうちの１つに対応する第２のフォーマットで出力テレビジョン信号を生成する手段と、
前記テレビジョン信号処理装置のための電源のパラメータを決定する手段と、
前記複数のテレビジョン信号標準規格のうちの１つを自動的に選択するため前記電源における前記パラメータの第１の決定された値に応答し、且つ、ユーザが前記複数のテレビジョン信号標準規格のうちの１つを選択することを手動で補助できるように前記電源における前記パラメータの第２の決定された値に応答する制御手段とを備え、
前記制御手段は前記信号処理手段を制御して、前記出力テレビジョン信号を前記複数のテレビジョン信号標準規格のうちの前記選択された標準規格に対応する前記第２のフォーマットで生成させることを特徴とするテレビジョン信号処理装置。
【請求項２】
前記複数のテレビジョン信号標準規格はＮＴＳＣおよびＰＡＬ標準規格を含むことを特徴とする請求項１に記載のテレビジョン信号処理装置。
【請求項３】
前記テレビジョン信号処理装置のための電源のパラメータを決定する前記手段は、前記テレビジョン信号処理装置における前記電源の周波数および電圧を決定する手段を含むことを特徴とする請求項１に記載のテレビジョン信号処理装置。
【請求項４】
前記制御手段は、１２０ボルト＠６０Ｈｚに対応する前記電源における前記パラメータの前記第２の決定された値に応答して、ユーザが前記複数のテレビジョン信号標準規格のうちの１つを選択することを手動で補助できるようにするＯＳＤメッセージを表す信号を発生させるＯＳＤジェネレータを備えることを特徴とする請求項１に記載のテレビジョン信号装置。
【請求項５】
前記入力テレビジョン信号はＤＢＳ信号であることを特徴とする請求項４に記載のテレビジョン信号処理装置。
【請求項６】
テレビジョン信号処理装置において第１のフォーマットで入力テレビジョン信号を処理し、複数のテレビジョン信号標準規格のうちの１つに対応する第２のフォーマットで出力テレビジョン信号を生成する方法であって、
前記テレビジョン信号処理装置における動作電源のパラメータの値を決定するステップと、
前記パラメータの第１の値に応答して、前記複数のテレビジョン信号標準規格のうちの１つを自動的に選択するステップと、
前記パラメータの第２の値に応答して、前記複数のテレビジョン信号標準規格のうちの１つを選択することをユーザが手動で補助できるようにするステップと、
前記テレビジョン信号処理装置を制御して、前記複数のテレビジョン信号標準規格のうちの選択された標準規格に対応する前記第２のフォーマットで前記出力テレビジョン信号を生成するステップと、
を含むことを特徴とする方法。
【請求項７】
前記動作電源のパラメータを決定するステップは、前記動作電源の周波数および電圧を決定するステップを含むことを特徴とする請求項６に記載の方法。
【請求項８】
前記複数のテレビジョン信号標準規格はＰＡＬおよびＮＴＳＣ標準規格を含むことを特徴とする請求項６に記載の方法。
【請求項９】
前記入力テレビジョン信号はＤＢＳテレビジョン信号であることを特徴とする請求項６に記載の方法。
【請求項１０】
ユーザが前記複数のテレビジョン信号標準規格のうちの１つを選択することを手動で補助できるようにする前記ステップは、１２０ボルト＠６０ヘルツに対応する前記パラメータの前記第２の値に応答して、ＯＳＤメッセージを発生させるステップを含むことを特徴とする請求項６に記載の方法。
【国際調査報告】
2004514347.tif 000036
2004514347.tif 000037